(57)【要約】【課題】木質調に見え、軽量で経済的に得られる椅子の肘掛けを提供する。【解決手段】上肘掛け部片８と下肘掛け部片９を、プラスチック材料で成形し、組み合わせて肘掛け７を構成する。上肘掛け部片８の表面には、木目柄の木目シート２４が張り付けられている。下肘掛け部片９の表面は、上記木目シート２４に合う色目に着色されている。【選択図】図1
0003219465.tif 000002
【実用新案登録請求の範囲】
【請求項１】
椅子の肘掛け部に固定される下肘掛け部片と、該下肘掛け部片に組み合わされる上肘掛け部片をプラスチック材料で成形した椅子の肘掛けであって、上記上肘掛け部片の外表面には木目柄を有する木目シートを張り付けてあり、下肘掛け部片の表面は該木目シートに合わせた色目に着色されていることを特徴とする椅子の肘掛け。
【請求項２】
上記下肘掛け部片と上肘掛け部片は、組み合わせた際中空の肘掛けを構成するよう成形されている請求項１に記載の椅子の肘掛け。
【請求項３】
上記肘掛け部は、前脚及び後脚の上端部とそれを連結する上枠で構成され、下肘掛け部片には、前脚、後脚の上端部がそれぞれ嵌入される受孔と上枠が嵌入される長溝が形成されている請求項１又は２に記載の椅子の肘掛け。
【考案の詳細な説明】
【技術分野】
【０００１】
本考案は、椅子の肘掛けに関し、特に木製調の肘掛けに係るものである。
【背景技術】
【０００２】
従来の木製椅子や合板材料で製造した椅子の場合には、肘掛け部分を含めてフレーム全体が木製であり（例えば特許文献１参照）、家具調感に富んだものであり、好ましい。肘掛け部分については、木材を削り出したり、合板を圧縮加工して製造した中実体を肘掛けとしてフレームに固定する構成であるので、重量が重くなり、取り扱いが面倒で、経済的にも得にくいものである。金属パイプ製の椅子においては、肘掛け部に木製の肘掛けを固定したものも知られているが、中実体であるからやはり重量が増してしまう。プラスチック材料で成形した肘掛けでは、質感が木製の肘掛けに比べて大きく相違する。プラスチック成形の場合、上下の肘掛け部片を別体に成形し、これを組み合わせて肘掛けを構成し、手触り感を考慮して、上方側の成形体に、弾性シート等を張り付けて表装するものも知られているが、弾性による緩衝作用を期待したものであって、木製の肘掛けのような家具調の情趣を得ようとするものではない。
【先行技術文献】
【特許文献】
【０００３】
【特許文献１】実用新案登録第２５４７４７９号公報（段落０００９、図１）
【考案の概要】
【考案が解決しようとする課題】
【０００４】
本考案が解決しようとする課題は、プラスチック材料で成形した肘掛けであって、かつ
木製肘掛けのような外観が得られる椅子の肘掛けを提供することである。
【課題を解決するための手段】
【０００５】
本考案によれば、椅子の肘掛け部に固定される下肘掛け部片と、該下肘掛け部片に組み合わされる上肘掛け部片をプラスチック材料で成形した椅子の肘掛けであって、上記上肘掛け部片の外表面には木目柄を有する木目シートを張り合わせてあり、下肘掛け部片の表面は該木目シートに合わせた色目に仕上げられていることを特徴とする椅子の肘掛け提供され、上記課題が解決される。
【０００６】
また、本考案によれば、上記下肘掛け部片と上肘掛け部片は、組み合わせた際中空の肘掛けを構成するよう成形されている上記椅子の肘掛けが提供され、上記課題が解決される。
【考案の効果】
【０００７】
本考案は、上記のように構成され、椅子の肘掛け部に固定される下肘掛け部片と、該下肘掛け部片に組み合わされる上肘掛け部片をプラスチック材料で成形し、上記上肘掛け部片の外表面に木目柄を有する木目シートを張り合わせ、下肘掛け部片の表面を該木目シートに合わせた色目に仕上げてあるので、全体的に見て木製の肘掛けとほぼ同様の外観となり、家具調の見栄えのよい椅子の肘掛けが得られる。また、下肘掛け部片と上肘掛け部片で中空の肘掛けを構成すると、木製の肘掛けに比べて軽量であり、かつ木製の肘掛けに近似した肘掛けが得られる。
【図面の簡単な説明】
【０００８】
【図１】本考案の一実施例を示す側面図。
【図２】肘掛けの斜視図。
【図３】反転した上肘掛け部片の斜視図。
【図４】下肘掛け部片を底面から見た斜視図。
【図５】肘掛けの拡大横断面図。
【図６】椅子の肘掛け部の一部を示す拡大縦断面図。
【考案を実施するための形態】
【０００９】
本考案の椅子の肘掛けは、各種の椅子に取り付けることができるが、図１に示す椅子は、前脚１、後脚２及び左右の前脚、後脚を連結する座枠３を金属パイプ材料で構成し、座枠３の上に座板４を設け、後脚２の上部間には背部５が設けられている。前脚１と後脚２の上端部は、上枠６（図５、図６参照）で連結してあり、この前脚及び後脚の上端部と上枠により肘掛け部が構成され、この肘掛け部に肘掛け７が取り付けられている。
【００１０】
図２〜図６を参照し、肘掛け７は、プラスチック材料で成形した上肘掛け部片８と、下肘掛け部片９を組み合わせて中空の構造に形成されている。上肘掛け部片８は、上面部１０とその両側から下方に延びる側面部１１を有する断面ほぼＵ字状に形成され、内面に連結突起１２を有し、側面部１１の端部には下肘掛け部片９に係合するための係合段部１３が形成されている。
【００１１】
下肘掛け部片９は、下面部１４とその両側から上方に延びる側面部１５を有する断面ほぼＵ字状に形成され、前後部には前脚１の上端部と後脚２の上端部をそれぞれ嵌入する受孔１６が有り、前後の受孔間には前脚、後脚を連結する上記上枠６が嵌入する長溝１７が形成され、側面部１５の端部には上肘掛け部片８の係合段部１３に係合するため係合段部１８が形成されている。上記長溝部分には、上記上肘掛け部片８の連結突起１２にねじ係合するねじ１９を通す連結孔２０と、上枠６に固定するためのねじ２１を通す連結孔２２が形成され、上記連結孔２０の周囲の長溝の壁面及び上記連結孔２２の周囲の側面部には拡大凹部２３が設けられている。
【００１２】
而して、上記上肘掛け部片８の表面は、木目柄を有する木目シート２４で加飾されている。この木目シート２４は、チーク、オーク、マホガニーその他適宜の木目柄や各種の明度等を有する適宜のものを採用することができ、裏面に設けた粘着層で上肘掛け部片８の外周面に張り付けられる。また、下肘掛け部片９の表面は、上記木目シート２４の色目に合わせた、好ましくは同色系の色合いに着色されている。この着色は、下肘掛け部片を成形する際に、プラスチック材料に着色剤を混入して全体を同色系に成形したり、成形後に、下肘掛け部片の少なくても外表面に着色塗料を塗布して形成することができる。なお、下肘掛け部片９の表面に木目柄の凹凸形状を一体成形しておけば、着色した際に一層木質感が得られる。
【００１３】
上記実施例では、前脚、後脚を上枠で連結し、それを肘掛け部としてその上方から肘掛けを固定するようにしてあるが、そのような椅子に限定されることなく、各種の椅子の肘掛けに適用することができる。
【符号の説明】
【００１４】
１  前脚
２  後脚
３  座枠
５  背部
７  肘掛け
８  上肘掛け部片
９  下肘掛け部片
２４  木目シート
【図１】
0003219465.tif 000003
【図２】
0003219465.tif 000004
【図３】
0003219465.tif 000005
【図４】
0003219465.tif 000006
【図５】
0003219465.tif 000007
【図６】
0003219465.tif 000008